(57)【要約】【課題】  スピナーベイト・ジグスピナーと同等のスナッグレス性を発揮出来、かつ複数のソフトベイトを同時にアクションさせることが可能となる従来のジグヘッドリグには無いアピール性の高いルアーを提供する。【解決手段】  釣り針や疑似餌やブレード板等が装着されるワイヤで構成されて、釣り糸が取り付けられて使用される釣り用仕掛けワイヤ１であり、このワイヤ１の両端部の係止部１ｘ，１ｙには、ストレートフックにソフトベイトが取り付けられたものＪ２や、ジグヘッドＪ１が交換可能に取り付けられている。【選択図】  図３
2012019731.tif 000002
【特許請求の範囲】
【請求項１】
ワイヤが所定角度で構成され、釣り糸が取り付けられて使用される釣り用仕掛けワイヤにおいて、この釣り用仕掛けワイヤの両端部を折り曲げて係止部を形成し、この係止部を介して、釣り針、疑似餌、ブレード板、又は、錘が交換可能に装着され、少なくとも両端部のうちの一方側に釣り針が交換可能に装着され、ワイヤに釣り糸が取り付けられることを特徴とする釣り用仕掛けワイヤ。
【請求項２】
前記釣り用仕掛けワイヤの両端部に、フック（釣り針）を介して餌や疑似餌が交換可能に各々装着されることを特徴とする請求項１記載の釣り用仕掛けワイヤ。
【請求項３】
前記釣り用仕掛けワイヤの両端部の一方側に釣り針を介して疑似餌が交換可能に装着され、他方側に、錘が交換可能に装着されることを特徴とする請求項１記載の釣り用仕掛けワイヤ。
【請求項４】
前記ワイヤの両端部の釣り針、疑似餌、ブレード板、又は、錘の重さを調整することで、両端部の一方側が他方側よりも重くなるように構成されていることを特徴とする請求項１ないし３のいずれか１項記載の釣り用仕掛けワイヤ。
【請求項５】
前記ワイヤの両端部が折り返されて、この折り返し部にゴム製又は合成樹脂製の筒状の止め具が着脱されることを特徴とする請求項１ないし４のいずれか１項記載の釣り用仕掛けワイヤ。
【請求項６】
ブラックバス、メバル、スズキ、アジ、カサゴ、アイナメ、キジハタ、ソイ、又は、タケノコバルを釣るための釣り用仕掛けワイヤであることを特徴とする請求項１ないし５のいずれか１項記載の釣り用仕掛けワイヤ。
【発明の詳細な説明】
【技術分野】
【０００１】
本発明は、ワイヤで構成されて釣り針や疑似餌やブレード板等が装着され、釣り糸が取り付けられて使用される釣り用仕掛けワイヤに関する。
【背景技術】
【０００２】
ブラックバス、スズキやメバル等を釣るときには、釣り針（フック）や疑似餌やブレード板等が予め装着されるワイヤで構成された釣り用仕掛けワイヤが使用される場合がある。例えば、スピナーベイトやジグスピナーと呼ばれるものがそれである。他方、釣り糸の先端側等に取り付けられた釣り針に餌や疑似餌を装着して釣ることもあるが、メバル等では、ジグヘッドにソフトベイトを装着したジグヘッドリグでの釣り方が最もポピュラーである。
図６と図７は、スピナーベイトであり（主にブラックバス用）、ヘッドＨの先端に所定角度のワイヤＷが固定され、末端にフックＦが一体化され、ヘッドＨとフックＦのつなぎ目周辺に複数本のゴムひもを結束したスカートを備える。上記例では、所定角度で構成されるワイヤＷの一方には、釣り針（フック）Ｆを介して疑似餌Ｇが取り付けられるが、釣り針（フック）Ｆは、ワイヤＷに一体的に取り付けられている（固定され着脱不能である。）。他方、ブレードＢのワイヤＷへの取り付けは、上記一体的なワイヤＷを丸めるように曲げたり、鋼鉄製等の止め具ＵでワイヤＷを挟み込んで、その形状を押し潰すことで取り付ける。ジグスピナーは、ワイヤの片側へジグヘッドが取り付けられ、他方にブレードが取り付けられる。
図８は、ジグヘッドリグであり、ジグヘッドと呼ばれるシンカー８とフックＦが一体化した釣針で、これにソフトベイト３を装着して使用する。なお、図９は、ストレートフックにソフトベイト（疑似餌）が取り付けられたものである。
【０００３】
特許文献としては、釣り針（フック）と一体のヘッドと、ヘッドから下方に延設する支持アーム（ワイヤ）を備え、フック先端を上に向けて海底を引き摺る釣用ルアーが開示されている（特許文献１）。また、ヘッド部と、このヘッド部に固定突出したフック部とからなるジグヘッドにおいて、ヘッド部の両側面に対向して一対の環状のアイを固定突出したジグヘッドが開示されている（特許文献２）。
【先行技術文献】
【特許文献】
【０００４】
【特許文献１】特開２００３−２５９７６５号公報
【特許文献２】特開２００２−１４２６１３号公報
【発明の開示】
【発明が解決しようとする課題】
【０００５】
現在メバリング等で最もポピュラーなジグヘッドリグによる釣りにおいては、針先が剥き出しであるためストラクチャーをタイトにトレースする事が困難であった。針先が剥き出しであるジグヘッドリグでは、ヘッドがシャローエリア（浅瀬）やロックエリア（岩場）やテトラに引っ掛かるおそれがある。
【０００６】
また、釣り用仕掛けワイヤにおいては、釣り針、疑似餌、ブレード板、又は、錘やブレード等を色々な形で取り付ける。
しかしながら、従来のスピナーベイトやジグスピナーは、ブレードＢがワイヤＷに固定され着脱が困難である。また、従来、ワイヤＷの端部を丸めるように曲げたり（輪を作り、釣針等を取り付ける。）、鋼鉄製等の止め具Ｕでその形状を押し潰すようにして使用すると、一度装着したものを除去して付け替えることは極めて困難であった。
【０００７】
そこで本発明の目的は、スピナーベイト・ジグスピナーと同等のスナッグレス性を発揮出来、かつ複数のソフトベイトを同時にアクションさせることが可能となる従来のジグヘッドリグには無いアピール性の高いルアーを提供することを目的とする。また、ワイヤに対する釣り針、疑似餌、ブレード板、又は、錘の着脱を容易にするとともに、疑似餌等を装着するワイヤの安定姿勢で保持することで、根掛がりを防止し、そして釣り上げ効果（食い付きの度合い）が高い釣り用仕掛けワイヤを提供することにある。
【課題を解決するための手段】
【０００８】
本発明の釣り用仕掛けワイヤは、ワイヤが所定角度で構成され、釣り糸が取り付けられて使用される釣り用仕掛けワイヤにおいて、この釣り用仕掛けワイヤの両端部を折り曲げて係止部を形成し、この係止部を介して、釣り針、疑似餌、ブレード板、又は、錘が交換可能に装着され、少なくとも両端部のうちの一方側に釣り針が交換可能に装着され、ワイヤに釣り糸が取り付けられることを特徴とする。ここで、係止部としては、環状のアイでも、Ｒ字状の折り曲げたりして、ライン（釣り糸）を引っかけ易いようにする。）のものでも良い。
本発明によれば、魚の種類や釣る場所や天候等の諸条件によって、ワイヤの両端部に、釣り針、疑似餌、ブレード板、又は、錘が上記係止具を介して交換可能に装着される。少なくとも両端部のうちの一方側に釣り針が交換可能に装着される。このため、魚の種類等の釣り条件に応じて、ワイヤ自体を交換することなく、釣り針等を交換可能である。そして、ワイヤの所定角度のほぼ中央の上記アイや上記Ｒ字状の部分でラインが取り付けられて、引っ張られると、ワイヤに沿うようにフックが流れるので、根掛かりが防止される。また、ワイヤに疑似餌が取り付けられているので、水の抵抗を受けると共にフォールスピードが遅くなり、ゆっくり引くことにも優れる。
【０００９】
本発明としては、前記釣り用仕掛けワイヤの両端部に、フック（釣り針）を介してソフトベイト等が交換可能に各々装着されることが好ましい。
本発明によれば、ワイヤの両端部に、ジグヘッド、および釣り針を介してソフトベイト等が装着され、ワイヤの効果により複数のソフトベイト等を同調させる動きが可能となり、より小魚の群れに近いアクションを演出できる。また複数のソフトベイト等を同時に操るため、メバル等のフィッシュイーターに対し、よりアピールの強いアプローチが可能となる。
本発明によれば、いわゆるジグヘッドとの組み合わせになり、食い付きの効果をより高めることが期待される。
【００１０】
本発明としては、前記釣り用仕掛けワイヤの両端部の一方側に釣り針を介して疑似餌が交換可能に装着され、他方側に、錘が交換可能に装着されることが好ましい。
本発明によれば、主に根魚を対象とした錘を着低させた状態で、ボトムをズル引きする釣りにおいて、錘が岩等の隙間に挟まったとしても、非常にすり抜けやすい形状であると共に錘が必要以上に隙間に入り込んで行くのをワイヤが防止する事で根がかりトラブルを防止する。また、錘を根に掛けた状態でシェイク等のアクションも有効となる。
【００１１】
本発明としては、前記仕掛け用ワイヤは、釣り針、疑似餌、ブレード板、又は、錘の重さを調整することで、ワイヤの両端部の一方側が他方側よりも重くなるように構成されていることが好ましい。
本発明によれば、ワイヤを所定角度で構成して、ワイヤの一方側が他方側よりも重いことから、糸を引くと、重い方を下にして立ち上がり姿勢となり、ワイヤが垂直姿勢を保つようになる。したがって、かかる立ち上がり姿勢により根掛りが防止される。
【００１２】
本発明としては、前記ワイヤの両端部が折り返されて、この折り返し部にゴム製又は合成樹脂製の筒状の止め具が着脱されることが好ましい。
本発明によれば、釣り針（フック）や疑似餌等を前記折り返し部に引っ掛けてから、筒状の止め具を折り返し部に装着させることで、容易に取り付けることが可能である。また、疑似餌等を外すときも、筒状の止め具を引っ張るだけで簡単に外すことができる。
本発明では、ブラックバス、メバル、スズキ、アジ、カサゴ、アイナメ、キジハタ、ソイ、又は、タケノコバルを釣る場合に好適である。
【発明の効果】
【００１３】
本発明によれば、ワイヤの端部が折り返されて、この折り返し部にゴム製又は合成樹脂製の筒状の止め具が着脱されることから、ワイヤに対する釣り針、疑似餌、ブレード板、又は、錘の着脱を容易にすることが可能である。そして、魚の種類等の釣り条件に応じて、ワイヤ自体を交換することなく、釣り針を交換可能である。
また、本発明によれば、ワイヤの一方側が他方側よりも重いことから、糸を引くと、重い方を下にして立ち上がり姿勢となり、ワイヤが垂直姿勢を保つようになる。したがって、かかる立ち上がり姿勢により根掛かりが防止され、釣り上げ効果が高めらえるとともに、シャローエリア（浅瀬）やロックエリア（岩場）やテトラ際に積極的にポイントを定めて使用可能である。
また、本発明のワイヤの効果により複数のソフトベイト等を同調させる動きが可能となり、より小魚の群れに近いアクションを演出できる。また複数のソフトベイト等を同時に操るため、メバル等のフィッシュイーターに対し、よりアピールの強いアプローチが可能となる。
【図面の簡単な説明】
【００１４】
【図１】本発明の第１の実施の形態の釣り用仕掛けワイヤを示す側面図である。
【図２】上記一実施の形態の釣り用仕掛けワイヤを示す斜視図である。
【図３】上記一実施の形態の釣り用仕掛けワイヤに疑似餌を取り付けた状態を示す斜視図である。
【図４】上記一実施の形態の釣り用仕掛けワイヤを販売用のシート状の袋に収納した状態を示す図である。
【図５】本発明の第２の実施の形態の釣り用仕掛けワイヤを示す側面図である。
【図６】従来のスピナーベイトの例を示す図である。
【図７】従来のスピナーベイトの例を示す図である。
【図８】従来のジグヘッドリグの例を示す図である。
【図９】従来のストレートフックにソフトベイトが取り付けられた例を示す図である。
【図１０】従来のテキサスリグの例を示す図である。
【発明を実施するための形態】
【００１５】
以下、本発明の実施の形態を図面に基づいて説明する。
【００１６】
（第１の実施の形態）
図１は、第１の実施の形態の釣り用仕掛けワイヤを示す側面図であり、図２は斜視図であり、図３は、釣り針を介して疑似餌を取り付けた状態を示す斜視図である。図４は、販売用のシート状袋７に収納した状態を示す図である。
本実施の形態は、釣り針や疑似餌やブレード板等が装着されるワイヤで構成されて、釣り糸が取り付けられて使用される釣り用仕掛けワイヤ１であり、このワイヤ１の両端部の係止部１ｘ，１ｙには、図９のようなストレートフックにソフトベイトが取り付けられたものＪ２や、図８のようなジグヘッドＪ１が取り付けられている（図３）。
【００１７】
ワイヤ１は、金属製やステンレス製であり、Ｌ字状を呈し（ほぼ直角に折り曲げられ）、ワイヤ１の両端部１ａが折り返されている。ワイヤ1の両端部１ａは円弧状に折り返されて（係止部）、この係止部１ｘ，１ｙに折り曲げられた直線部分同士に止め具５が着脱される。ワイヤ１は、一方側の長さよりも他方側の長さが短くなるようになっている。これは釣り糸Ｌを引っ張るときの安定性を確保するためである。係止部１ｘ，１ｙには、図８のようなストレートフックにソフトベイトが取り付けられたものＪ２や図９のようなジグヘッドＪ１が、輪っか（アイ）２ｘ，２ｙを介して取り付けられ付けられる（図３）。上記係止部１ｘ，１ｙには、各々釣り針２、疑似餌３、ブレード板や錘等を交換して取り付けても良い。
【００１８】
上記ワイヤ１は、巻き回し部１ｃを設けて、所定角度に曲げられている。本実施の形態では、ほぼ直角（９０度）に折り曲げられているが、これに限定されるものではなく、一度折り曲げた後に再度折り返すなどして所定角度を構成しても良い（Ｒ字状の折り曲げた図６や図７のようにしても良い）。なお、全体的な構成角度、つまりワイヤ１の一方側（アッパーアーム）１ａと他方側（ロアアーム）１ｂのなす角度は、鈍角では、リトリーブ時の安定性に欠け、角度が構成する幅からも、岩や海底の草や藻などの引っ掛かりに十分に対応できない。ワイヤ１のほぼ中央の上記巻き回し部１ｃには釣り糸Ｌが取り付けられ、釣り糸Ｌを引っ張ると、図３に示すように、ワイヤ１のほぼ中央とするＬ字状になって引っ張られる。
【００１９】
止め具５は、ゴム製又は合成樹脂製で、筒状を呈する。上記係止部１ｘ，１ｙに折り曲げられた直線部分同士に着脱されるようにすると、直線的な出し入れで脱着する。止め具５は、ゴム製又は合成樹脂製であるから、金属製と比較して、柔軟で着脱が行い易い。また、後述するシート状の袋７にも入れ易い。
【００２０】
上記構成の釣り用仕掛けワイヤ１は、図４に示すように、複数本の釣り用仕掛けワイヤ１をシート状の袋７に入れて販売される。図４の例では、釣り針（フック）２が取り付けられた状態で販売される。魚の種類や釣り場（沖釣り、防波堤釣り等）等の諸条件を考慮して、釣り針（フック）２を選定して販売することが好ましいからである。シート状の袋７には、使用例等が記載された紙が入れられる。なお、後述する疑似餌３を装着して販売しても良い。
【００２１】
上記構成の釣り用仕掛けワイヤ１は、図３に示すように、一方側１ａの端部のアイ１ｙには、ストレートフック（釣り針）２にソフトベイト（ワーム）３が取り付けられものＪ２が配され、他方側１ｂの端部のアイ１ｘには、ヘッドの錘８を有するジグヘッドＪ１が装着されている。したがって、ヘッドの錘８の分だけ上記一方側１ａよりも他方側１ｂが重くなる構成である。
このため、本実施の形態のワイヤ１を釣り糸Ｌを介して水中で使用すると、一方側と他方側の双方のワーム（疑似餌）３，３が同調する（先行するワーム３と後行するワームとが同じワイヤ１で操られる）。疑似餌３，３は、ワイヤ１の一方端部にはジグヘッドＪ１が装着されて、ワイヤ１の一方側が他方側よりも重くなるように構成されている。このため、釣り糸Ｌを引くと、重い方を下方にして立ち上がり、垂直姿勢を保持しやすくなり、Ｌ字状になって流れる（図３に示すＬ字状になって矢印方向に引っ張られる。）。その結果、先行するワーム３（Ｊ１）と後行するワーム３（Ｊ２）とが小魚の群れ（２匹の同調するワーム）のようにアクションシ、フィッシュイーターにアピールする。
また、上記Ｌ字状になって矢印方向に引っ張られるＪ１とＪ２の各フック２は、内側、つまり図３に示す上方側Ｊ２のフック２は下向きに、下方側Ｊ１のフック２は上向きになるようにしているので、根掛かりも生じ難くなっている。
【００２２】
本実施の形態のワイヤ１の一方側端のアイ１ｘの向きは、他方側端のアイ１ｙの向きと向きを異ならせている（図１と図２）。すなわち、ワイヤ１の垂直姿勢のときに、その一方のアイ１ｘが水平であると、他方のアイ１ｙが上記一方のアイ１ｘと十字のように交差する向きになっている。これは、ジグヘッドＪ１やフックに疑似餌を取り付けたものＪ２のアイ２ｘ，２ｙが垂直姿勢と水平姿勢のものがあることに対応させたものである。すなわち、ジグヘッドＪ１のアイの姿勢やフック２に疑似餌を取り付けたものＪ２の姿勢が垂直姿勢であっても垂直姿勢であっても、先行するワイヤ３になびくようにフック先端や疑似餌が後方に配されようにするためである（図３参照）。
【００２３】
ここで、従来から、釣り糸（ライン）Ｌにソフトベイトを複数取り付けて釣る方法がある。しかし、この方法では、ソフトベイトが各々単独で取り付けられているので、複数のソフトベイトの動きを同調させることは難しい。なお、ジグスピナーは、片側がブレードであり、片側がジグヘッドである。
これに対して、本実施の形態では、上記ワイヤ１の両端１ｘ，１ｙにソフトベイトとなる小魚（ワーム）３が取り付けられているので（同じワイヤ１の両端１ｘ，１ｙに装着されているので）、一方の疑似餌と他方の疑似餌が同調した動きをする（同調した群れを演出する。）。
また、ワイヤ１の一方端部（アッパーアーム）１ａよりも他方端部（ロアアーム）１ｂの方が重いので、垂直姿勢となって同調する。
メバリングは、メバルがどこのレンジ（タナ）にいるかを探ることが重要である。その探り方はウエイトがあるジグヘッドをゆっくり引く必要があるが、これが難しい。本実施の形態では、ワイヤ１の両端が垂直姿勢を維持し、しかも両端の各々にワーム３が取り付けられているので、水の抵抗を受けると共にフォールスピードが遅くなり、ゆっくり引くことにも優れる。
さらに、ジグヘッド単独では、ヘッドが根掛かりの原因になることがあるが、本実施の形態では岩等にワイヤ１が当たるので、ジグヘッド単独と比較すると、根掛かりは極端に少なくなると考えられる。また、図３に示すように、Ｌ字状になって矢印方向に引っ張られるＪ１とＪ２の各フック２が内側に向けられることで、根掛かりが生じ難くなるとともに、互いにメバル等がかかったときの逃がし防止の役割を果たすこととなる。
【００２４】
（第２の実施の形態）
本実施の形態は、図５に示すように、前記ワイヤ１の一方側の端部１ｘに釣り針２を介して疑似餌３が交換可能に装着され、他方側の端部１ｙに、錘６が交換可能に装着される。ワイヤ１の一方側が他方側よりも重くなるように構成されている。ワイヤ１は、一方側１ａの長さよりが他方側１ｂの長さよりも長く、短いほう１ｂの先端に釣り針２を介して疑似餌３が交換可能に装着され、他方側に錘６が交換可能に装着される。なお、これらは逆でも良いが、上記錘６が疑似餌３や釣り針２よりも下方に位置させる。これにより、錘６が底に付くようにしながら釣ることができ、根魚と呼ばれるカサゴ、ソイ、アイナメ等の釣り上げ効果を発揮する。
【００２５】
ここで、従来カサゴ、ソイなどの根魚をソフトベイトで釣る方法として、テキサスリグＴによる釣り方が存在する（図１０参照）。テキサスリグＴは、非常にスナッグレス性が高く、ボトムをトレースする釣りにおいては非常に有効であるが、根掛りの原因としてバレットシンカーＳが岩等の隙間に挟まる事があげられる。
これに対して、本実施の形態では錘６を着低させボトムをトレースした際、錘６が岩等の隙間に挟まったとしても、非常にすり抜けやすい形状であると共に錘６が必要以上に隙間に入り込んで行くのをワイヤ部分が防止する効果があり、根掛かり難くなる。また、錘６を根に掛けた状態でシェイク等のアクションも有効となる。なお、ワイヤ１の一方側１ａと他方側１ｂの双方が交換可能であるため、釣り場の水深、風などの状況に合わせて、ウェイトやワーム等の交換が容易である。
【００２６】
以上、上記各実施の形態では、釣り用仕掛けワイヤ１では金属又はステンレス製で説明したが、形状記憶合金を使用して、海水の温度に応じて形状を変化させたり、海水の温度に応じて弾力性に変化を持たせことも可能である。
【符号の説明】
【００２７】
１            釣り用仕掛けワイヤ、１ａ  一方側、１ｂ  他方側
１ｘ，１ｙ    端部（係止部）、１ｃ  巻き回し部、
２            釣り針（フック）、２ｘ,２ｙ  輪っか（アイ）、
３            疑似餌（ワーム）、
５            ゴム製又は合成樹脂製の止め具、
６，８        錘、
７            シート状の袋、
Ｌ            釣り糸
【図１】
2012019731.tif 000003
【図２】
2012019731.tif 000004
【図３】
2012019731.tif 000005
【図４】
2012019731.tif 000006
【図５】
2012019731.tif 000007
【図６】
2012019731.tif 000008
【図７】
2012019731.tif 000009
【図８】
2012019731.tif 000010
【図９】
2012019731.tif 000011
【図１０】
2012019731.tif 000012